(57)【要約】特にサッカー用などのための運動靴（１ａ〜１ｄ）であって、アッパー（２）と、１つ以上のスタッド（４ａ〜４ｄ）を備えたソール（３ａ〜３ｄ）とを含む。各スタッド（４ａ〜４ｄ）が、そのスタッド自身の長手方向の軸（８）の周りの、スタッド（４ａ〜４ｄ）の少なくとも一部の動きのための少なくとも１つの弾性変形可能要素（７）によって、その運動靴（１ａ〜１ｄ）を着用しているスポーツ選手の方向転換、牽引および停止の動きに追従する態様でソール（３ａ〜３ｄ）に付けられている。運動靴（１ａ〜１ｄ）の使用中における弾性変形可能要素（７）の不測の破損および／またはスタッド（４ａ〜４ｄ）の分離を防ぐために、ソール（３ａ〜３ｄ）とスタッド（４ａ〜４ｄ）の内部に位置し、かつ弾性変形可能要素（７）を貫通する剥離防止要素（９）を備える。
2014533529.tif 000002
【特許請求の範囲】
【請求項１】
特にサッカー用などのための運動靴（１ａ，１ｂ，１ｃ，１ｄ）であって、
アッパー（２）と、少なくとも１つのスタッド（４ａ，４ｂ，４ｃ，４ｄ）を備えたソール（３ａ，３ｂ，３ｃ，３ｄ）とを含み、
上記少なくとも１つのスタッド（４ａ，４ｂ，４ｃ，４ｄ）が、そのスタッド自身の長手方向の軸（８）の周りの、上記少なくとも１つのスタッド（４ａ，４ｂ，４ｃ，４ｄ）の少なくとも一部の動きのための少なくとも１つの弾性変形可能要素（７）によって、その運動靴（１ａ，１ｂ，１ｃ，１ｄ）を着用しているスポーツ選手の方向転換、牽引および停止の動きに追従する態様で上記ソール（３ａ，３ｂ，３ｃ，３ｄ）に付けられている運動靴において、
上記運動靴（１ａ，１ｂ，１ｃ，１ｄ）の使用中における上記少なくとも１つの弾性変形可能要素（７）の不測の破損および／または上記少なくとも１つのスタッド（４ａ，４ｂ，４ｃ，４ｄ）の分離を防ぐために、上記ソール（３ａ，３ｂ，３ｃ，３ｄ）と上記少なくとも１つのスタッド（４ａ，４ｂ，４ｃ，４ｄ）の内部に位置し、かつ上記少なくとも１つの弾性変形可能要素（７）を貫通する剥離防止要素（９）を備えたことを特徴とする運動靴。
【請求項２】
請求項１に記載の運動靴（１ａ）において、
上記少なくとも１つの弾性変形可能要素（７）はカラー要素（１０）によって形成され、
上記カラー要素は、このカラー要素の軸方向の両端に、２つの放射状フランジ（１１，１２）を有し、
上記カラー要素（１０）は、貫通孔（１３）によって、上記ソール（３ａ）の一方の側から他方の側へ通っており、この貫通孔は上記ソール（３ａ）内に形成されて、その結果、上記ソール（３ａ）が２つの放射状フランジ（１１）および（１２）の間に介在したままになっており、
上記運動靴（１ａ）内に配置された上記放射状フランジ（１１）は区画（１４）内に収容され、この区画は、上記運動靴（１ａ）の補償ミッドソール（１５）内に形成され、また、上記ソール（３ａ）の接地面側に配置された上記放射状フランジ（１２）は、上記少なくとも１つのスタッド（４ａ）に付けられていることを特徴とする運動靴。
【請求項３】
請求項１に記載の運動靴（１ａ）において、
上記剥離防止要素９は、ネジ１６によって形成され、そのネジは、上記運動靴（１ａ）の内部に配置された上記放射状フランジ（１１）の側から上記カラー要素（１０）内に挿入されており、また、上記少なくとも１つのスタッド（４ａ）内に形成されたそれぞれのネジ穴（１７）にねじ込まれていることを特徴とする運動靴。
【請求項４】
請求項１に記載の運動靴（１ｂ）において、
上記少なくとも１つのスタッド（４ｂ）は、
第１の端部（１９）によって、また、ねじ込む手段によって把持されるようになっている外側輪郭を有する第２のディスク状部（２０）によって形成され、
上記第２のディスク状部（２０）から突出するネジ付きシャンク（２１）を備え、
接地面側で上記ソール（３ｂ）に付けられたネジ付き爪（２２）の中へねじ込まれ、
上記弾性変形可能要素（７）は、上記第１の端部（１９）と上記第２のディスク状部（２０）との間に介挿されたディスク状要素（２３）によって形成されていることを特徴とする運動靴。
【請求項５】
請求項１に記載の運動靴（１ｃ）において、
上記少なくとも１つのスタッド（４ｃ）は、
第１の端部（２６）によって、また、上記ソール（３ｃ）と一体である第２のディスク状部（２７）によって形成され、
上記弾性変形可能要素（７）は、上記第１の端部（２６）と上記第２のディスク状部（２７）との間に介挿されたディスク状要素（２８）によって形成されていることを特徴とする運動靴。
【請求項６】
請求項４または５に記載の運動靴（１ｂ，１ｃ）において、
上記剥離防止要素（９）は、上記第２のディスク状部（２０，２７））に付けられ、上記ディスク状要素（２３，２８）を貫通し、かつ上記第１の端部（１９，２６）に埋め込まれた端部（２５）を備えたフレキシブルなケーブル（２４）によって、形成されていることを特徴とする運動靴。
【請求項７】
請求項６に記載の運動靴（１ｂ，１ｃ）において、
上記フレキシブルなケーブル（２４）は鋼からなっていることを特徴とする運動靴。
【請求項８】
請求項６または７に記載の運動靴（１ｂ，１ｃ）において、
上記端部（２５）は放射状に拡張されていることを特徴とする運動靴。
【請求項９】
請求項１に記載の運動靴（１ｄ）において、
上記少なくとも１つのスタッド（４ｄ）は、
弾性変形可能な材料からなる内側部分（３０）によって、また、剛性材料からなり、且つねじ込む手段によって係合されるようになっている外側輪郭（３１）によって、形成されており、
上記少なくとも１つの弾性変形可能要素（７）は、上記外側輪郭（３１）と上記ソール（３ｄ）との間に介挿されたディスク状要素（３２）によって形成されていることを特徴とする運動靴。
【請求項１０】
請求項９に記載の運動靴（１ｄ）において、
上記剥離防止要素（９）は、ピン（３３）によって形成され、このピンは、一端に、上記少なくとも１つのスタッド（４ｄ）の上記内側部分（３０）に埋め込まれた球状ヘッド（３４）を有し、他端に、外側輪郭（３１）から突出し、上記ディスク状要素（３２）を貫通し、かつ接地面側で上記ソール（３ｄ）に付けられたネジ付き爪（３６）の中へねじ込まれたネジ付きシャンク（３５）を備えたことを特徴とする運動靴。
【発明の詳細な説明】
【技術分野】
【０００１】
この発明は、特にサッカー用などのための運動靴に関する。
【背景技術】
【０００２】
例えばサッカー、ラグビーのような、草で覆われた地形上でのランニングを含む多くのスポーツの訓練で、スポーツのアクティビティが進行中である間、望まれないスリップを防ぐように、スポーツ選手がソールと地面との間の優れた牽引力を有することを可能にする特別の靴の使用は、既知である。
【０００３】
より具体的には、ソールの接地面側にスパイクあるいはスタッド（それらは、ソールに一体に固定された複数の剛スタッドからなる。）を有する運動靴は、既知である。
【０００４】
このやり方では、スポーツ選手の重量は完全にそのようなスタッド上に放出され、それらのスタッドを地面に沈ませ、また、特に滑りやすい地形上であっても、スポーツ選手が停止、牽引動作、または方向転換をすることを可能にする。
【０００５】
市場はスタッドを持った広範囲の運動靴を提供することができるけれども、そのような靴は、靴が地面と強く係合する特別の牽引条件の下では、スポーツ選手の運動エネルギがそのスポーツ選手の下肢の関節に放出され、筋肉疲労を起こし、そして、或る場合には怪我に変わる、という多少深刻な問題につながる共通の欠点を示す。
【０００６】
より正確には、そのような従来の運動靴は、地面と靴の間の推進力を適切に吸収および／または放出することができないことによって、足首や膝の関節の捻挫、および／または、そのような関節に影響する靭帯構造の緊張を引き起こす場合がある。
【０００７】
例えば、通常のスポーツのアクティビティ中のサッカー選手は、主として、高頻度で、時間をかけて繰り返される連続的な方向転換の態様で走ることによって移動する。それは、正に加速と停止のステップのように、高速で実行される同心および偏心のタイプの作業ステップを含む。
【０００８】
十字靭帯は、捻り動作に最も敏感である膝の靱帯構造であるので、特に、前十字靭帯の中心位置と、膝の安定性におけるその機能を、側副靱帯と一緒に考えると、これらは、頻繁に応力、マイクロ外傷、病変、全断裂、それらを刺激するねじれ／屈曲動作によって誘発される全てのものに晒される。
【０００９】
より具体的には、外側の回転を有する外反の外傷は、内側側副靭帯、後斜め靭帯と前十字靭帯に損傷を引き起こす可能性がある。
【００１０】
さらに、内側の回転を有する内反の外傷は、前十字靭帯に損傷を引き起こす可能性があり、また、前外側と後外側莢膜−靱帯損傷を引き起こす可能性がある。
【００１１】
より正確には、前十字靱帯は、異なる長さと方向を有する繊維の束の洗練された構造によって、屈曲伸展の骨四肢の転がりと滑り運動を補助し、かつ、積極的に脚の屈曲および伸展の両方において回転運動を制御することにより、回転中に膝の安定性を維持するために、膝関節の矢状面と前頭面に安定性を提供する。
【００１２】
前十字靱帯は、さらに、脛骨がロックされているとき、その逆に、大腿骨がロックされ脛骨が可動であって負荷によって応力を加えられているとき、脛骨の過度の前方並進運動と脛骨に対する大腿骨の同調を妨げる。
【００１３】
前十字靱帯への外傷は、ほとんどの場合、脛骨がロックされ大腿骨が可動である動作によって引き起こされる。それにより、一般的に「地面に植えられた足」と呼ばれる動作を実行する。
【００１４】
そのような外傷は、屈曲および伸展の両方に、大腿四頭筋の収縮に起因した十字靭帯に依存する指数関数的で連続的な係合があるという事実のせいである。
【００１５】
そのような欠点を克服するために、近年、運動靴に適用され、前述の停止、牽引および／または方向転換のステップの間に放出される仕事を少なくとも部分的に吸収することが可能である減衰システムが考案された。
【００１６】
より正確には、そのような減衰システムは、ソールとスタッドとの間に弾性変形可能な材料を介在させることからなる。
【００１７】
このやり方では、停止、牽引および／または方向転換のステップの間に放出される仕事は、そのような弾性変形可能な材料によって吸収される。それにより、スポーツ選手の関節が保護される。
【発明の概要】
【発明が解決しようとする課題】
【００１８】
そのような減衰システムを備えた従来の運動靴にも、欠点がなくもない。それらの欠点の中には、特別の重い条件の下では、弾性変形可能な材料が受ける切断及び屈曲力は、その材料が剥離することにつながり、その材料が付けられているスタッドの損失につながる、という事実がある。
【００１９】
この発明の目標は、特にサッカー用などのための運動靴であって、スポーツ実施時にスポーツ選手が要求する靴と地面との間の牽引の本質的な認識を、靴を履いているスポーツ選手から奪うことなく、下肢の関節系全体の怪我を防止および回避でき、とりわけその靴が受ける連続的な応力に耐えることができるものを提供することにある。
【００２０】
この目標内で、本発明の目的は、スポーツ選手の下肢の運動の運動学における安定性を改善する運動靴を提供することにある。
【課題を解決するための手段】
【００２１】
この目標およびこれらの目的および以下により明白になるその他の目的は、
特にサッカー用などのための運動靴であって、
アッパーと、少なくとも１つのスタッドを備えたソールとを含み、
上記少なくとも１つのスタッドが、そのスタッド自身の長手方向の軸の周りの、上記少なくとも１つのスタッドの少なくとも一部の動きのための少なくとも１つの弾性変形可能要素によって、その運動靴を着用しているスポーツ選手の方向転換、牽引および停止の動きに追従する態様で上記ソールに付けられている運動靴において、
上記運動靴の使用中における上記少なくとも１つの弾性変形可能要素の不測の破損および／または上記少なくとも１つのスタッドの分離を防ぐために、上記ソールと上記少なくとも１つのスタッドの内部に位置し、かつ上記少なくとも１つの弾性変形可能要素を貫通する剥離防止要素を備えたことを特徴とする運動靴
によって達成される。
【図面の簡単な説明】
【００２２】
本発明のさらなる特徴および利点は、特にサッカー用などのための、本発明に従う運動靴の４つの好ましい（しかし、排他的ではない）実施形態の説明からよりよく明らかになるであろう。それらは、非限定的な例の目的のために添付の図面に示されている。
【図１】図１は、特にサッカー用などのための運動靴の概略側面図である。それは、本発明によって提案された４つの実施形態のすべての特徴を有している。
【図２】図２は、図１に示された運動靴の下からの図である。
【図３】図３は、本発明に従う運動靴の第１実施形態の、外部応力を受けていないスタッドの細部の断面図である。
【図４】図４は、外部応力を受けている図３に示されたスタッドの細部の断面図である。
【図５】図５は、本発明に従う運動靴の第２実施形態の、外部応力を受けていないスタッドの細部の断面図である。
【図６】図６は、外部応力を受けている図５に示されたスタッドの細部の断面図である。
【図７】図７は、外部応力を受けている図５に示されたスタッドの細部の断面図である。
【図８】図８は、本発明に従う運動靴の第３実施形態の、外部応力を受けていないスタッドの細部の断面図である。
【図９】図９は、外部応力を受けている図８に示されたスタッドの細部の断面図である。
【図１０】図１０は、本発明に従う運動靴の第４実施形態の、外部応力を受けていないスタッドの細部の断面図である。
【図１１】図１１は、外部応力を受けている図１０に示されたスタッドの細部の断面図である。
【発明を実施するための形態】
【００２３】
図を参照して、特にサッカー用などのための運動靴は、アッパー２と、スタッド４ａ，４ｂ，４ｃまたは４ｄが設けられているソール３ａ，３ｂ，３ｃまたは３ｄとを備えている。それらは、参照数字１ａ，１ｂ，１ｃおよび１ｄを持つ提案された４つの実施形態で一般的に指定されている。
【００２４】
より具体的には、全ての実施形態で、アッパー２は、ひも５又は引き剥がし閉鎖システムによって閉じることができる前面開口部を有することができ、また、側面および前面（そこではボールとの衝突が起こる）の補強材６を備えることができる。
【００２５】
便宜的に、以下に一層よく説明されるように、運動靴１ａ，１ｂ，１ｃまたは１ｄを着用しているスポーツ選手の方向転換の動作、牽引および停止に追従する態様で、各スタッド４ａ，４ｂ，４ｃまたは４ｄは、そのスタッド自身の長手方向の軸８の周りの、少なくとも１つのスタッド４ａ，４ｂ，４ｃまたは４ｄの少なくとも一部の動きのための、少なくとも１つの弾性変形可能要素７を介して、それぞれのソール３ａ，３ｂ，３ｃまたは３ｄに付けられている。
【００２６】
本発明によれば、全ての提案された実施形態は、ソール３ａ，３ｂ，３ｃまたは３ｄおよびスタッド４ａ，４ｂ，４ｃまたは４ｄの内側にあり、かつ実質的に長手方向の軸８に沿って弾性変形可能要素７を貫通している剥離防止要素９を有する。運動靴１ａ，１ｂ，１ｃまたは１ｄの使用中に、偶発的なその破損および／またはスタッド４ａ，４ｂ，４ｃまたは４ｄの分離を防止するためである。
【００２７】
特に、図３および図４を参照して、提案された第１実施形態では、運動靴１ａにおいて、弾性変形可能要素７は、カラー要素１０によって形成されている。上記カラー要素は、このカラー要素の軸方向の両端に、２つの放射状フランジ１１および１２を有している。
【００２８】
より正確には、カラー要素１０は、貫通孔１３によって、ソール３ａの一方の側から他方の側へ通っている。この貫通孔はソール３ａ内に形成されて、その結果、ソール３ａが２つの放射状フランジ１１および１２の間に介在したままになっている。
【００２９】
この態様では、運動靴１ａ内に配置された放射状フランジ１１は区画１４内に収容されたままになっている。この区画は、運動靴１ａの補償ミッドソール１５内に形成されている。また、ソール３ａの接地面側に配置された放射状フランジ１２は、錐台状のスタッド４ａに付けられている。
【００３０】
剥離防止要素９を考察すると、この第１実施形態では、これはネジ１６によって形成されている。そのネジは、インナーソール１８を除去して、放射状フランジ１１の側でカラー要素１０に挿入されており、また、スタッド４ａ内に形成されたそれぞれのネジ穴１７にねじ込まれている。
【００３１】
違った態様では、特に図５〜図７を参照して、提案された第２実施形態では、運動靴１ｂにおいて、スタッド４ｂは、錐台状である第１の端部１９によって、また、ねじ込む手段（例えば六角棒スパナ）によって係合されるようになっている外側輪郭を有する第２のディスク状部２０によって、形成されている。
【００３２】
より正確には、スタッド４ｂは、第２のディスク状部２０から突出するネジ付きシャンク２１を備え、接地面側でソール３ｂに付けられたネジ付き爪２２の中へねじ込まれている。
【００３３】
弾性変形可能要素７および剥離防止要素９を考察すると、これらは、それぞれ、第１の端部１９と第２のディスク状部２０との間に介挿されたディスク状要素２３によって、また、第２のディスク状部２１に付けられ、実質的に長手方向の軸８に沿ってディスク状要素２２を貫通し、かつ第１の端部１９に埋め込まれた端部２５を備えたフレキシブルなケーブル２４によって、形成されている。
【００３４】
より正確には、端部２５は、放射状に拡張された形状の構造を有し、実質的に球状である。また、フレキシブルなケーブル２４は鋼からなっている。
【００３５】
特に図８および図９を参照して、提案された第３実施形態では、運動靴１ｃにおいて、スタッド４ｃは、錐台状である第１の端部２６によって、また、ソール３ｃと一体である第２のディスク状部２７によって、形成されている。
【００３６】
第２実施形態と同様に、弾性変形可能要素９および剥離防止要素７は、それぞれ、第１の端部２６と第２のディスク状部２７との間に介挿されたディスク状要素２８によって、また、第２のディスク状部２７に付けられ、実質的に長手方向の軸８に沿ってディスク状要素２８を貫通し、かつ第１の端部２６に埋め込まれた端部２５を備えたフレキシブルなケーブル２４によって、形成されている。
【００３７】
より正確には、端部２５は、放射状に拡張された形状の構造を有し、実質的に球状である。また、フレキシブルなケーブル２４は鋼からなっている。
【００３８】
特に図１０および図１１を参照して、提案された第４実施形態では、運動靴１ｄにおいて、スタッド４ｄは、弾性変形可能な材料からなる内側部分３０によって、また、錐台状であり、剛性材料からなり、且つねじ込む手段（例えば六角棒スパナ）によって係合されるようになっている外側輪郭３１によって、形成されている。
【００３９】
弾性変形可能要素７は、外側輪郭３１とソール３ｄとの間に介挿されたディスク状要素３２によって形成されている。
【００４０】
剥離防止要素９を考察すると、これはピン３３によって形成されている。このピンは、一端に、スタッド４ｄの内側部分３０に埋め込まれた球状ヘッド３４を有し、他端に、外側輪郭３１から突出し、実質的に長手方向の軸８に沿ってディスク状要素３２を貫通し、かつ接地面側でソール３ｄに付けられたネジ付き爪３６の中へねじ込まれたネジ付きシャンク３５を備えている。
【００４１】
運動靴１ａ，１ｂ，１ｃおよび１ｄの動作は次の通りである。
【００４２】
第１実施形態１ａでは、図１に示すように、スタッド４ａがソール３ａに対する外部横応力を受けた場合、スタッド４ａは横に傾くことを強いられ、したがって、ネジ１６も傾くことを強いられる。それらは、弾性変形することによって、スポーツ選手の運動エネルギの一部を吸収し、したがって彼／彼女を怪我から守る。
【００４３】
違った態様で、第２実施形態１ｂおよび第３実施形態１ｃでは、スタッド４ｂおよび４ｃが外部横応力を受けた場合、それらは回転する傾向があり、したがって、それぞれのディスク状要素２３および２８を変形させる。
【００４４】
スタッド４ｂおよび４ｃとそれぞれのディスク状要素２２または２７との間の保持は、破損することなく変形するフレキシブルなケーブル２４によって保証される。
【００４５】
特に図７を参照して、圧縮応力のみの場合には、フレキシブルなケーブル２４は、湾曲し、その後、応力が終了した場合に、ストレートの形態をとるように戻ることができる。
【００４６】
同様に、図１１を参照して、第４実施形態１ｄでは、スタッド４ｄは、それが外部横応力を受けた場合、ジョイントとして働くピン３３の球状ヘッド３４の周りに回転する傾向がある。
【００４７】
そのような回転中に、ディスク状要素３２は弾性変形し、スポーツ選手の運動エネルギの一部を吸収し、したがって彼／彼女を怪我から守る。
【００４８】
実際に、提案された全ての実施形態で、スタッド４ａ，４ｂ，４ｃおよび４ｄは、弾性変形可能要素７のおかげで、運動靴１ａ，１ｂ，１ｃおよび１ｄがスポーツ選手の方向転換に伴うことを可能にし、したがって、彼／彼女の動きをより自然かつ調和のとれたものにする。
【００４９】
より正確には、方向転換時の選手の平衡と推進力は、足の第１中足骨に局在している。この領域におけるスタッド４ａ，４ｂ，４ｃおよび４ｄの位置は、多方向運動における運動選手のためのより良い安全性に都合が良い。しかし、とりわけ、それは、スポーツ選手によって地面に及ぼされる力の調節可能性との良好な協調を維持しながら、方向転換で発生する負の摩擦力に対してスポーツ選手がより良く反応することを可能にする。または、その逆も正しい。
【００５０】
十分な安定性および最大の協調をもって方向転換を達成することは、関わっている力を能力と予防に有利に最適化することを意味する。
【００５１】
実際に、特にサッカー用などのための本発明に従う運動靴は、構造の弱化を受けることなく、足の正しい安定性を保証することによって、怪我の危険を減少させることを可能にするという点で、意図された目標および目的を完全に達成するということが分かってきた。
【００５２】
より詳しくは、任意の方向転換の回転ステップにおいて、上記スタッドの又は少なくともその一部の弾性変形能は、大腿骨と脛骨との間の回転運動における回転角を減少させ、また、前十字靱帯に加わる負荷および膝関節に加わる捻り応力を制限するように、足首の回転角度を減少させる。
【００５３】
地面に対する靴の回転は、体の軸のより良い安定性を維持することを可能にし、動きにより良い方向性および安全性を与える。
【００５４】
さらに、膝関節の回転中に、本発明に従うスタッドの助けを借りて、脛骨のロックが低減される。したがって、大腿骨によって誘導される回転運動に追従することがより自由になる。また、最も頻繁に膝関節への間接的な外傷をもたらす状態（それは、脛骨がロックされ、大腿骨が可動で、地面に植えられた足を有することにある。）で終わることを回避させる。
【００５５】
さらに、方向転換では、荷重点は足の前−内側の第１中足骨であるという事実を考慮すると、この推進力領域に配置された本発明に従うスタッドは、そのスタッドの弾性変形能によって、進行の有効な方向に向けられる動きを可能にする。
【００５６】
実質的な怪我を含む怪我の予防に関して、本発明に従うスタッドは、正しい随意筋応答を生ずるためのスポーツ選手の応答時間を短縮できるという点で、有効な怪我予防要素である。したがって、前十字靱帯が破損されるべき時間を減少させる。
【００５７】
本発明に従う運動靴の別の利点は、その運動靴が支援中の足の支点の正確な安定性、さらに、地面に対して停止し、牽引する時の両方で、方向変換とグリップのステップにおけるスポーツ選手の平衡を保証することにある。
【００５８】
本発明に従う運動靴の別の利点は、その運動靴がスポーツ選手の足と地面との間の摩擦を減少させる。したがって、急停止後の再スタート時に、スタッドの弾性変形可能部分の弾性復帰が利用されるという点で、エネルギ節約にかなり寄与する。
【００５９】
より正確には、弾性変形可能なスタッドを持つ靴は、足の生体力学的支点が推進力の点の近くに、すなわち、以前のストロークの方向にではなく、方向転換の方向に移動されるという点で、スポーツ選手の総合的能力を改善する。
【００６０】
さらに、身体の回転移動を実行し、かつ方向転換を完了する時間は、従来のタイプのスタッドを有する靴による場合よりも相当に低い。したがって、スポーツ選手の能力水準を押し上げる。
【００６１】
このように考案された、特にサッカー用などのための運動靴は、多数の修正および変形の余地がある。それらの全ては、添付のクレームの範囲内にある。
【００６２】
さらに、全ての細部は、他の、技術的に等価な要素によって置換され得る。
【００６３】
実際上、使用された材料（それらは特定の用途、および条件付きの寸法・形状に適合すると仮定された）は、要求および従来の技術に応じて任意であってもよい。
【００６４】
イタリア国特許出願Ｎｏ．ＭＩ２０１１Ａ００２０８９中の開示（それに基づいて本願が優先権を主張する）は、参照によって、本明細書に組み込まれる。
【００６５】
任意のクレームで言及された技術的特徴に参照記号が続いている場合、それらの参照記号は、クレームの明瞭度を増加させる目的のみのために含まれている。
そのような参照記号は、そのような参照符号によって一例として識別される各要素の解釈にいかなる限定的影響を及ぼさない。
【図１】
2014533529.tif 000003
【図２】
2014533529.tif 000004
【図３】
2014533529.tif 000005
【図４】
2014533529.tif 000006
【図５】
2014533529.tif 000007
【図６】
2014533529.tif 000008
【図７】
2014533529.tif 000009
【図８】
2014533529.tif 000010
【図９】
2014533529.tif 000011
【図１０】
2014533529.tif 000012
【図１１】
2014533529.tif 000013
【国際調査報告】
2014533529.tif 000014
2014533529.tif 000015
2014533529.tif 000016